(57)【要約】【課題】ＤＶＤ−Ｒ、ＤＶＤ−ＲＷ、ＤＶＤ＋Ｒ、ＤＶＤ＋ＲＷに対して情報を記録している時に、記録エラーが発生した場合に、当該光ディスクの未使用領域に記録エラー情報を記録させるようにする光ディスク記録再生装置を提供する。【解決手段】光ディスクが挿入されると、ＤＶＤ−Ｒ／ＤＶＤ−ＲＷであるか、ＤＶＤ＋Ｒ／ＤＶＤ＋ＲＷであるかが判別される。記録中に記録エラーが発生すると、エラー発生アドレス、記録パワー、エラーコード、内部エラーコード、およびエラー発生時間などの記録エラー情報がＲＡＭに格納される。記録動作が終了すると、ＲＡＭから記録エラー情報が読み出されて、ＤＶＤ−ＲまたはＤＶＤ−ＲＷである場合は、レコーディング・マネージメント・エリアに記録エラー情報が記録され、ＤＶＤ＋ＲまたはＤＶＤ＋ＲＷである場合は、イニシャル・ゾーンに記録エラー情報が記録される。【選択図】図３
2007310965.tif 000002
【特許請求の範囲】
【請求項１】
光ディスクに対して情報の記録／再生を行う光ディスク記録再生装置において、
挿入された光ディスクをディスク情報によりディスク判別を行うディスク判別手段と、
前記ディスク判別された当該光ディスクに対して記録動作が行われている時に、エラー訂正結果により記録エラーが発生したか否かを判定するエラー発生判定手段と、
前記記録エラーが発生したと判定された時に記録エラー情報をメモリに格納するエラー情報格納手段と、
当該光ディスクに対する記録動作が終了した時に、前記メモリに記録エラー情報が格納されているか否かを検知することにより当該光ディスクに対する記録動作中に記録エラーが発生していたか否かを確認するエラー発生確認手段と、
前記記録エラーが発生していたことが確認された時に、前記メモリから記録エラー情報を読み出し、前記ディスク判別手段によりディスク判別された当該光ディスクがＤＶＤ−ＲまたはＤＶＤ−ＲＷである場合には、ＤＶＤ−ＲまたはＤＶＤ−ＲＷのレコーディング・マネージメント・エリアに前記読み出された記録エラー情報を記録させ、前記ディスク判別手段によりディスク判別された当該光ディスクがＤＶＤ＋ＲまたはＤＶＤ＋ＲＷである場合には、ＤＶＤ＋ＲまたはＤＶＤ＋ＲＷのイニシャル・ゾーンに前記読み出された記録エラー情報を記録させるエラー情報記録手段と、を有するシステムコントローラを備えたことを特徴とする光ディスク記録再生装置。
【請求項２】
光ディスクに対して情報の記録／再生を行う光ディスク記録再生装置において、
挿入された光ディスクに対して記録動作が行われている時に、記録エラーが発生すると、記録エラー情報をメモリに格納し、当該光ディスクに対する記録動作が終了した時に、前記メモリから記録エラー情報を読み出し、記録エラー情報を当該光ディスクの所定領域に記録させる制御を行うシステムコントローラを備えたことを特徴とする光ディスク記録再生装置。
【請求項３】
記録エラー情報を記録させる当該光ディスクの所定領域とは、ＤＶＤ−ＲまたはＤＶＤ−ＲＷである場合には、ＤＶＤ−ＲまたはＤＶＤ−ＲＷのレコーディング・マネージメント・エリアであり、ＤＶＤ＋ＲまたはＤＶＤ＋ＲＷである場合には、ＤＶＤ＋ＲまたはＤＶＤ＋ＲＷのイニシャル・ゾーンであることを特徴とする請求項２に記載の光ディスク記録再生装置。
【請求項４】
前記システムコントローラは、挿入された光ディスクをディスク情報によりディスク判別を行うディスク判別手段と、前記ディスク判別された当該光ディスクに対して記録動作が行われている時に、エラー訂正結果により記録エラーが発生したか否かを判定するエラー発生判定手段と、前記記録エラーが発生したと判定された時に記録エラー情報をメモリに格納するエラー情報格納手段と、当該光ディスクに対する記録動作が終了した時に、前記メモリに記録エラー情報が格納されているか否かを検知することにより当該光ディスクに対する記録動作中に記録エラーが発生していたか否かを確認するエラー発生確認手段と、前記記録エラーが発生していたことが確認された時に、前記メモリから記録エラー情報を読み出し、前記ディスク判別手段によりディスク判別された当該光ディスクがＤＶＤ−ＲまたはＤＶＤ−ＲＷである場合には、ＤＶＤ−ＲまたはＤＶＤ−ＲＷのレコーディング・マネージメント・エリアに前記読み出された記録エラー情報を記録させ、前記ディスク判別手段によりディスク判別された当該光ディスクがＤＶＤ＋ＲまたはＤＶＤ＋ＲＷである場合には、ＤＶＤ＋ＲまたはＤＶＤ＋ＲＷのイニシャル・ゾーンに前記読み出された記録エラー情報を記録させるエラー情報記録手段と、を有することを特徴とする請求項２に記載の光ディスク記録再生装置。
【発明の詳細な説明】
【技術分野】
【０００１】
本発明は、光ディスクに対して情報を記録／再生する光ディスク記録再生装置に関し、特に、記録エラー情報を光ディスクに記録する機能を有する光ディスク記録再生装置に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で記録可能で規定回数まで書き換え可能なＤＶＤ−ＲＷやＤＶＤ＋ＲＷなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷなどへの情報の記録は、光ディスク記録再生装置で可能である。
【０００３】
また、従来から光ディスク記録再生装置では、光ディスクに記録されたデータを再生時に光ピックアップからの読取信号であるＲＦ信号をデジタルデータに変換した後、当該光ディスクのデータフォーマットに応じた信号復調処理とＥＣＣブロックによる誤り訂正処理を行っている。この誤り訂正処理を行う誤り訂正機能によって、或る程度のデータ損失は復元できることに加えて、映像や音楽といったデータでは、誤り訂正機能によって完全に復元できなくても、データ補間によってユーザが気付かないレベルまでのデータ訂正が可能である。
【特許文献１】特開２００３−２６３７３７号公報
【特許文献２】特開２００１−３５７６２５号公報
【特許文献３】特開２０００−１１３４５３号公報
【発明の開示】
【発明が解決しようとする課題】
【０００４】
ところで、ビデオカセットテープのような磁気テープに記録されたデータはアナログであるので、磁気テープの劣化と共に、ユーザ側でデータの悪化を再生映像で感じることができるが、ＤＶＤなどの光ディスクでは、デジタルデータが記録され、記録面の傷や色素変化があっても、誤り訂正処理によりユーザ側でデータの悪化状況を直接感じることができず、突然データが読めなくなる場面に遭遇する場合がある。このような事が起きると、ユーザ側では、何が原因であるかが分からないので、ディスクメーカのサービスセンターなどに問い合わせて原因を調べてもらう必要が生じる。
【０００５】
この原因になるものは、記録時に発生する記録エラーに問題があると考えられるが、その原因を解明するためには、記録時に記録エラーが発生した時のエラー発生アドレス、記録エラーが発生した直前までの光ピックアップから出射されるレーザ光の記録パワー、記録エラー内容を示すエラーコード、このエラーコードよりも詳細なエラー内容を示す内部エラーコード、および記録エラーが発生した時間を示すエラー発生時間などの記録エラー情報が必要となる。
【０００６】
しかし、光ディスクが、ＤＶＤ−Ｒ、ＤＶＤ−ＲＷ、ＤＶＤ＋Ｒ、ＤＶＤ＋ＲＷである場合には、従来の光ディスク記録再生装置では、ＤＶＤ−Ｒ、ＤＶＤ−ＲＷ、ＤＶＤ＋Ｒ、ＤＶＤ＋ＲＷに、エラー発生アドレス、記録パワー、エラーコード、内部エラーコード、およびエラー発生時間などの記録エラー情報を記録させる機能を有していないので、このような光ディスクに不具合が生じて、このような光ディスクをユーザがディスクメーカのサービスセンターなどに送っても、ディスクメーカ側では、エラー原因を解明することができず、ユーザの苦情に対処することができないという課題と、今後のディスク開発に役立てることができず、ディスク開発の効率が低下するという課題があった。
【０００７】
なお、特許文献１の従来技術では、光ディスクの各データ領域毎に当該データ領域に対して交替処理が行われたか否かを示すフラグを記録して交替フラグテーブルを光ディスクのリードイン領域の未使用領域に作成するようにしている。そして、欠陥による交替処理を含まないデータ領域に関しては欠陥管理テーブルの検索を要せず、その記録または再生に要する処理時間を短縮している。しかしながら、この従来技術においては、光ディスクとしては、ＣＤ−ＲやＣＤ−ＲＷを扱ったものであり、ＤＶＤ−Ｒ、ＤＶＤ−ＲＷ、ＤＶＤ＋Ｒ、ＤＶＤ＋ＲＷに対するものではなく、このような光ディスクに不具合が生じても対処することができない。
【０００８】
特許文献２の従来技術は、連続増加記録または制限的重ね書き記録時に発生するリンキング以外に欠陥領域の次に発生するリンキングを示すリンキングタイプ情報を用いて記録媒体上に大きい欠陥が発生して記録／再生に必要な基準信号が発生しなくても、欠陥領域の次の領域にリンキング体系を適用した後、使用者データの記録を再開するようにして、使用者データの信頼性を高めている。しかしながら、この従来技術においては、ＤＶＤ−Ｒ、ＤＶＤ−ＲＷ、ＤＶＤ＋Ｒ、ＤＶＤ＋ＲＷに、エラー発生アドレス、記録パワー、エラーコード、内部エラーコード、およびエラー発生時間などの記録エラー情報を記録させる機能を有していないので、このような光ディスクに不具合が生じて、このような光ディスクをユーザがディスクメーカのサービスセンターなどに送っても、ディスクメーカ側では、エラー原因を解明することができず、ユーザの苦情に対処することができないという課題と、今後のディスク開発に役立てることができず、ディスク開発の効率が低下するという課題が生じる。
【０００９】
特許文献３の従来技術は、光ディスクのゾーン境界に隣接する１または１組のトラックであって、ユーザーデータの記録に使用しない未使用領域に、ユーザーデータの再生に必要な情報を記録することにより、フォーマット効率の低下を有効に回避するようにしたものであるが、ＤＶＤ−Ｒ、ＤＶＤ−ＲＷ、ＤＶＤ＋Ｒ、ＤＶＤ＋ＲＷに、エラー発生アドレス、記録パワー、エラーコード、内部エラーコード、およびエラー発生時間などの記録エラー情報を記録させるようにしたものではない。
【００１０】
本発明は、上記のような課題を解決するためになされたもので、ＤＶＤ−Ｒ、ＤＶＤ−ＲＷ、ＤＶＤ＋Ｒ、ＤＶＤ＋ＲＷの光ディスクに対して情報を記録している時に、記録エラーが発生した場合に、当該光ディスクの未使用領域に記録エラー情報を記録させるようにする光ディスク記録再生装置を提供することを目的とする。
【課題を解決するための手段】
【００１１】
上記目的を達成するために、請求項１の発明は、挿入された光ディスクをディスク情報によりディスク判別を行うディスク判別手段と、前記ディスク判別された当該光ディスクに対して記録動作が行われている時に、エラー訂正結果により記録エラーが発生したか否かを判定するエラー発生判定手段と、前記記録エラーが発生したと判定された時に記録エラー情報をメモリに格納するエラー情報格納手段と、当該光ディスクに対する記録動作が終了した時に、前記メモリに記録エラー情報が格納されているか否かを検知することにより当該光ディスクに対する記録動作中に記録エラーが発生していたか否かを確認するエラー発生確認手段と、前記記録エラーが発生していたことが確認された時に、前記メモリから記録エラー情報を読み出し、前記ディスク判別手段によりディスク判別された当該光ディスクがＤＶＤ−ＲまたはＤＶＤ−ＲＷである場合には、ＤＶＤ−ＲまたはＤＶＤ−ＲＷのレコーディング・マネージメント・エリアに前記読み出された記録エラー情報を記録させ、前記ディスク判別手段によりディスク判別された当該光ディスクがＤＶＤ＋ＲまたはＤＶＤ＋ＲＷである場合には、ＤＶＤ＋ＲまたはＤＶＤ＋ＲＷのイニシャル・ゾーンに前記読み出された記録エラー情報を記録させるエラー情報記録手段と、を有するシステムコントローラを備えたことを特徴とする光ディスク記録再生装置を提供する。
【００１２】
この構成において、先ず、光ディスクが挿入されると、そのディスク情報により、その光ディスクが、ＤＶＤ−Ｒ／ＤＶＤ−ＲＷであるか、ＤＶＤ＋Ｒ／ＤＶＤ＋ＲＷであるかがディスク判別手段により判別される。そして、ディスク判別された光ディスクに対して記録動作が行われると、記録中に記録エラーが発生したか否かがエラー発生判定手段により判定される。記録エラーが発生し、エラー発生判定手段により、記録エラーが発生したと判定されると、エラー発生アドレス、記録パワー、エラーコード、内部エラーコード、および記録エラーが発生した時間を示すエラー発生時間などの記録エラー情報が、エラー情報格納手段によりメモリに格納される。
【００１３】
記録動作が終了すると、エラー発生確認手段により、メモリにエラー情報が格納されているか否かが検知され、当該光ディスクに対する記録動作中にエラーが発生していたか否かが確認される。メモリにエラー情報が格納されていて、記録中に記録エラーが発生していたと言うことが確認された場合は、記録エラー情報が、エラー情報記録手段により当該光ディスクの所定領域に記録される。即ち、ディスク判別された光ディスクが、ＤＶＤ−ＲまたはＤＶＤ−ＲＷである場合は、ＤＶＤ−ＲまたはＤＶＤ−ＲＷのレコーディング・マネージメント・エリア（ＲＭＡ）に、記録エラー情報が記録される。また、ディスク判別された光ディスクが、ＤＶＤ＋ＲまたはＤＶＤ＋ＲＷである場合は、ＤＶＤ＋ＲまたはＤＶＤ＋ＲＷのイニシャル・ゾーン（Ｉｎｉｔｉａｌ  Ｚｏｎｅ）に、記録エラー情報が記録される。
【００１４】
この構成によれば、記録中に記録エラーが発生した光ディスク（ＤＶＤ−Ｒ、ＤＶＤ−ＲＷ、ＤＶＤ＋Ｒ、ＤＶＤ＋ＲＷ）に対しては、記録終了後に、エラー発生アドレス、記録パワー、エラーコード、内部エラーコード、およびエラー発生時間などの記録エラー情報を記録させるようにしたので、この光ディスクを再生したときに不具合が発生して、再生できないようなことが起こった場合に、ユーザが、この光ディスクをディスクメーカのサービスセンターなどに送れば、ディスクメーカ側では、この光ディスクに記録されている記録エラー情報を解析することにより、エラー原因を解明することができ、これにより、ユーザの苦情に対処することができ、また、今後のディスク開発に役立てることができてディスク開発の効率を向上させることができる。
【００１５】
請求項２の発明は、挿入された光ディスクに対して記録動作が行われている時に、記録エラーが発生すると、記録エラー情報をメモリに格納し、当該光ディスクに対する記録動作が終了した時に、前記メモリから記録エラー情報を読み出し、記録エラー情報を当該光ディスクの所定領域に記録させる制御を行うシステムコントローラを備えたことを特徴とする光ディスク記録再生装置を提供する。
【００１６】
この構成において、挿入された光ディスクに対して記録動作が行われている時に、記録エラーが発生すると、記録エラー情報がメモリに格納され、当該光ディスクに対する記録動作が終了した時に、前記メモリから記録エラー情報が読み出され、記録エラー情報が当該光ディスクの所定領域に記録される。
【００１７】
この構成によれば、記録中に記録エラーが発生した光ディスクに対しては、記録終了後に、エラー発生アドレス、記録パワー、エラーコード、内部エラーコード、およびエラー発生時間などの記録エラー情報を記録させるようにしたので、この光ディスクを再生したときに不具合が発生して、再生できないようなことが起こった場合に、ユーザが、この光ディスクをディスクメーカのサービスセンターなどに送れば、ディスクメーカ側では、この光ディスクに記録されている記録エラー情報を解析することにより、エラー原因を解明することができ、これにより、ユーザの苦情に対処することができ、また、今後のディスク開発に役立てることができてディスク開発の効率を向上させることができる。
【００１８】
請求項３の発明では、請求項２の発明において、記録エラー情報を記録させる当該光ディスクの所定領域とは、ＤＶＤ−ＲまたはＤＶＤ−ＲＷである場合には、ＤＶＤ−ＲまたはＤＶＤ−ＲＷのレコーディング・マネージメント・エリアであり、ＤＶＤ＋ＲまたはＤＶＤ＋ＲＷである場合には、ＤＶＤ＋ＲまたはＤＶＤ＋ＲＷのイニシャル・ゾーンであるので、当該光ディスクは未使用領域を用いて記録エラー情報を記録することが可能になる。
【００１９】
請求項４の発明では、請求項２の発明において、前記システムコントローラは、挿入された光ディスクをディスク情報によりディスク判別を行うディスク判別手段と、前記ディスク判別された当該光ディスクに対して記録動作が行われている時に、エラー訂正結果により記録エラーが発生したか否かを判定するエラー発生判定手段と、前記記録エラーが発生したと判定された時に記録エラー情報をメモリに格納するエラー情報格納手段と、当該光ディスクに対する記録動作が終了した時に、前記メモリに記録エラー情報が格納されているか否かを検知することにより当該光ディスクに対する記録動作中に記録エラーが発生していたか否かを確認するエラー発生確認手段と、前記記録エラーが発生していたことが確認された時に、前記メモリから記録エラー情報を読み出し、前記ディスク判別手段によりディスク判別された当該光ディスクがＤＶＤ−ＲまたはＤＶＤ−ＲＷである場合には、ＤＶＤ−ＲまたはＤＶＤ−ＲＷのレコーディング・マネージメント・エリアに前記読み出された記録エラー情報を記録させ、前記ディスク判別手段によりディスク判別された当該光ディスクがＤＶＤ＋ＲまたはＤＶＤ＋ＲＷである場合には、ＤＶＤ＋ＲまたはＤＶＤ＋ＲＷのイニシャル・ゾーンに前記読み出された記録エラー情報を記録させるエラー情報記録手段とを有する。
【００２０】
したがって、前記システムコントローラは、ディスク判別処理、エラー発生判定処理、エラー情報格納処理、エラー発生確認処理、およびエラー情報記録処理を実現でき、これにより、記録中に記録エラーが発生すれば、メモリに記録エラー情報を格納でき、記録が終了すれば、当該光ディスクに記録エラー情報を記録することが可能になる。
【発明の効果】
【００２１】
以上のように本発明によれば、挿入された光ディスクをディスク情報によりディスク判別を行うディスク判別手段と、前記ディスク判別された当該光ディスクに対して記録動作が行われている時に、エラー訂正結果により記録エラーが発生したか否かを判定するエラー発生判定手段と、前記記録エラーが発生したと判定された時に記録エラー情報をメモリに格納するエラー情報格納手段と、当該光ディスクに対する記録動作が終了した時に、前記メモリに記録エラー情報が格納されているか否かを検知することにより当該光ディスクに対する記録動作中に記録エラーが発生していたか否かを確認するエラー発生確認手段と、前記記録エラーが発生していたことが確認された時に、前記メモリから記録エラー情報を読み出し、前記ディスク判別手段によりディスク判別された当該光ディスクがＤＶＤ−ＲまたはＤＶＤ−ＲＷである場合には、ＤＶＤ−ＲまたはＤＶＤ−ＲＷのレコーディング・マネージメント・エリアに前記読み出された記録エラー情報を記録させ、前記ディスク判別手段によりディスク判別された当該光ディスクがＤＶＤ＋ＲまたはＤＶＤ＋ＲＷである場合には、ＤＶＤ＋ＲまたはＤＶＤ＋ＲＷのイニシャル・ゾーンに前記読み出された記録エラー情報を記録させるエラー情報記録手段と、を有するシステムコントローラを備えたので、記録中に記録エラーが発生した光ディスク（ＤＶＤ−Ｒ、ＤＶＤ−ＲＷ、ＤＶＤ＋Ｒ、ＤＶＤ＋ＲＷ）に対しては、記録終了後に、エラー発生アドレス、記録パワー、エラーコード、内部エラーコード、およびエラー発生時間などの記録エラー情報を記録させることができる。
【００２２】
したがって、光ディスクを再生したときに不具合が発生して、再生できないようなことが起こった場合に、ユーザが、この光ディスクをディスクメーカのサービスセンターなどに送れば、ディスクメーカ側では、この光ディスクに記録されている記録エラー情報を解析することにより、エラー原因を解明することができ、これにより、ユーザの苦情に対処することができ、また、今後のディスク開発に役立てることができてディスク開発の効率を向上させることができる。
【００２３】
また、本発明によれば、挿入された光ディスクに対して記録動作が行われている時に、記録エラーが発生すると、記録エラー情報をメモリに格納し、当該光ディスクに対する記録動作が終了した時に、前記メモリから記録エラー情報を読み出し、記録エラー情報を当該光ディスクの所定領域に記録させる制御を行うシステムコントローラを備えたので、記録中に記録エラーが発生した光ディスクに対しては、記録終了後に、エラー発生アドレス、記録パワー、エラーコード、内部エラーコード、およびエラー発生時間などの記録エラー情報を記録させることができる。
【００２４】
したがって、光ディスクを再生したときに不具合が発生して、再生できないようなことが起こった場合に、ユーザが、この光ディスクをディスクメーカのサービスセンターなどに送れば、ディスクメーカ側では、この光ディスクに記録されている記録エラー情報を解析することにより、エラー原因を解明することができ、これにより、ユーザの苦情に対処することができ、また、今後のディスク開発に役立てることができてディスク開発の効率を向上させることができる。
【発明を実施するための最良の形態】
【００２５】
以下、添付図面を参照しつつ、本発明の実施の形態について説明する。図１は本発明の一実施形態に係る光ディスク記録再生装置の構成を示すブロック図である。
【００２６】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２７】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２８】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２９】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００３０】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００３１】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３２】
システムコントローラ２２は、本実施形態の特徴とする構成要素として、挿入された光ディスク１をディスク情報によりディスク判別を行うディスク判別手段２２１と、前記ディスク判別された当該光ディスク１に対して記録動作が行われている時に、エラー訂正結果により記録エラーが発生したか否かを判定するエラー発生判定手段２２２と、前記記録エラーが発生したと判定された時に記録エラー情報をＲＡＭ２７に格納するエラー情報格納手段２２３と、当該光ディスク１に対する記録動作が終了した時に、ＲＡＭ２７に記録エラー情報が格納されているか否かを検知することにより当該光ディスク１に対する記録動作中に記録エラーが発生していたか否かを確認するエラー発生確認手段２２４と、前記記録エラーが発生していたことが確認された時に、ＲＡＭ２７から記録エラー情報を読み出し、ディスク判別手段２２１によりディスク判別された当該光ディスク１がＤＶＤ−ＲまたはＤＶＤ−ＲＷである場合には、ＤＶＤ−ＲまたはＤＶＤ−ＲＷのレコーディング・マネージメント・エリアに前記読み出された記録エラー情報を記録させ、ディスク判別手段２２１によりディスク判別された当該光ディスク１がＤＶＤ＋ＲまたはＤＶＤ＋ＲＷである場合には、ＤＶＤ＋ＲまたはＤＶＤ＋ＲＷのイニシャル・ゾーンに前記読み出された記録エラー情報を記録させるエラー情報記録手段２２５とを有する。
【００３３】
図２は、ＤＶＤ−Ｒ、ＤＶＤ−ＲＷ、ＤＶＤ＋Ｒ、ＤＶＤ＋ＲＷの光ディスクにおける主要領域を示す領域構成図である。図２（１）に示すようにＤＶＤ−ＲやＤＶＤ−ＲＷの光ディスクには、記録管理領域であるレコーディング・マネージメント・エリア（ＲＭＡ）、リードインエリア（Ｌｅａｄ−ｉｎ  Ａｒｅａ）、データエリア（Ｄａｔａ  Ａｒｅａ）、およびリードアウトエリア（Ｌｅａｄ−ｏｕｔ  Ａｒｅａ）が存在する。
【００３４】
また、図２（２）に示すようにＤＶＤ＋ＲやＤＶＤ＋ＲＷの光ディスクには、ドライブテストに使用するインナー・ドライブ・エリア（Ｉｎｎｅｒ  Ｄｒｉｖｅ  Ａｒｅａ）、リードインエリア（Ｌｅａｄ−ｉｎ  Ａｒｅａ）、データエリア（Ｄａｔａ  Ａｒｅａ）、およびリードアウトエリア（Ｌｅａｄ−ｏｕｔ  Ａｒｅａ）が存在する。前記インナー・ドライブ・エリア（Ｉｎｎｅｒ  Ｄｒｉｖｅ  Ａｒｅａ）には、イニシャル・ゾーン（Ｉｎｉｔｉａｌ  Ｚｏｎｅ）、インナー・ディスク・テスト・ゾーン（Ｉｎｎｅｒ  Ｄｉｓｃ  Ｔｅｓｔ  Ｚｏｎｅ）などが存在する。
【００３５】
本実施形態では、エラー発生アドレス、記録パワー、エラーコード、内部エラーコード、およびエラー発生時間を含む記録エラー情報は、ＤＶＤ−ＲやＤＶＤ−ＲＷの光ディスクにおいては、図２（１）で示すようにレコーディング・マネージメント・エリア（ＲＭＡ）に記録され、ＤＶＤ＋ＲやＤＶＤ＋ＲＷの光ディスクにおいては、図２（２）で示すようにイニシャル・ゾーン（Ｉｎｉｔｉａｌ  Ｚｏｎｅ）に記録される。
【００３６】
図３は本実施形態において記録時に発生した記録エラーの情報を光ディスクに記録させるまでの処理を説明するためのフローチャートである。このフローチャートおよび図１、図２を参照して記録時に発生した記録エラーの情報を光ディスクに記録させるまでの処理について説明する。
【００３７】
先ず、光ディスク１が挿入されると、システムコントローラ２２は、光ディスク１の挿入を検知し（ステップＳ１）、光ディスク１を少し回転させると共に光ピックアップ２を駆動させ、光ディスク１の管理領域（光ディスク１がＤＶＤ−Ｒ／ＤＶＤ−ＲＷである場合はレコーディング・マネージメント・エリア（ＲＭＡ）であり、光ディスク１がＤＶＤ＋Ｒ／ＤＶＤ＋ＲＷである場合はイニシャル・ゾーン（Ｉｎｉｔｉａｌ  Ｚｏｎｅ））からディスク情報を読み出す処理である所謂マウント処理を行って（ステップＳ２）、ディスク情報から光ディスク１が、ＤＶＤ−Ｒ／ＤＶＤ−ＲＷであるか（ステップＳ３）、ＤＶＤ＋Ｒ／ＤＶＤ＋ＲＷであるか（ステップＳ４）の判別をディスク判別手段２２１により行う。
【００３８】
そして、リモコン２１の記録キーが押下されると（あるいは録画予約による録画開始時刻になると）、システムコントローラ２２は、記録操作がされたことを検知し（ステップＳ５）、サーボ制御部４およびモータ駆動回路３４を介してスピンドルモータ１を回転させることにより光ディスク１を回転させ、また、サーボ制御部４およびスレッド３を介して光ピックアップ２を光ディスク１の目的とする半径位置に移動させると共に、サーボ制御部４を介して図示しないアクチュエータを駆動させることにより光ピックアップ２に内蔵の対物レンズを光ディスク１の目的とする位置にフォーカスオンさせる。
【００３９】
ここで、光ディスク１に書き込む情報が、例えば、アンテナ２８で受信してチューナ２９で選局されたテレビ番組であるとすると、チューナ２９からの映像音声信号は、前述したような動作を行うＡ／Ｄ変換回路３０、ＭＰＥＧエンコーダ３１、ＲＡＭ３２、ＡＴＡＰＩ３３、記録データ変調回路２５、およびレーザ変調回路２６により処理され、これにより、システムコントローラ２２は、光ピックアップ２を介して光ディスク１に対する記録動作を行う（ステップＳ６）。
【００４０】
このような処理により記録動作が行われると、システムコントローラ２２のエラー発生判定手段２２２は、記録中に記録エラーが発生したか否かを判定する（ステップＳ７）。即ち、デジタル信号処理部８は、光ディスク１の既記録領域の情報を読み出した光ピックアップ２からの読取信号であるＲＦ信号を増幅するＲＦアンプ６の出力信号であるＲＦ信号を入力し、ＲＦアンプ６の出力信号であるＲＦ信号をデジタルデータに変換した後、光ディスク１のデータフォーマットに対応した信号復調処理とエラー訂正処理を行う。そして、エラー発生判定手段２２２は、デジタル信号処理部８におけるＥＣＣブロックのエラー訂正結果を検知することにより、記録中に記録エラーが発生したか否かを判定する。なお、記録中に記録エラーが発生したか否かを判定するために、光ディスク１の既記録領域の情報を読み出したりする処理は、システムコントローラ２２が光ピックアップ２を所定時間間隔で書き込み動作にしたり読み出し動作にしたりすることにより可能になる。
【００４１】
このように、記録動作が行われている時に（ステップＳ６）、記録エラーが発生し、エラー発生判定手段２２２により、記録エラーが発生したと判定されると（ステップＳ７）、システムコントローラ２２のエラー情報格納手段２２３は、記録時に記録エラーが発生した時の光ディスク１上のエラー発生アドレス、記録エラーが発生した直前までの光ピックアップ２から出射されるレーザ光の記録パワー、記録エラー内容を示すエラーコード、このエラーコードよりも詳細なエラー内容を示す内部エラーコード、および記録エラーが発生した時間（記録処理における記録経過時間に相当する時間）を示すエラー発生時間などの記録エラー情報をＲＡＭ２７に格納する（ステップＳ８）。
【００４２】
リモコン２１の停止キーが押下されると（あるいは録画予約による録画終了時刻になると）、システムコントローラ２２は、記録終了操作がされたことを検知し（ステップＳ９）、サーボ制御部４およびモータ駆動回路３４を介してスピンドルモータ１の回転を停止させることにより光ディスク１の回転を停止させると共に、サーボ制御部４を介して光ピックアップ２の動作を停止させる記録動作終了処理を行う（ステップＳ１０）。
【００４３】
このようにして記録動作終了処理が行われた後、システムコントローラ２２のエラー発生確認手段２２４は、ＲＡＭ２７をアクセスしてＲＡＭ２７にエラー情報が格納されているか否かを検知することにより、当該光ディスク１に対する記録動作中にエラーが発生していたか否かを確認する（ステップＳ１１）。ＲＡＭ２７にエラー情報が格納されていなく、記録中に記録エラーが発生していなかったと判定された場合は、本処理はそのまま終了するが、ＲＡＭ２７にエラー情報が格納されていて、記録中に記録エラーが発生していたことが確認された場合は、システムコントローラ２２のエラー情報記録手段２２５は、当該光ディスク１の所定領域に記録エラー情報を記録させる（ステップＳ１２）。
【００４４】
即ち、ステップＳ３，Ｓ４においてディスク判別された光ディスク１が、ＤＶＤ−ＲまたはＤＶＤ−ＲＷである場合は、エラー情報記録手段２２５は、ＲＡＭ２７から記録エラー情報を読み出し、この記録エラー情報をＡＴＡＰＩ３３に送り、記録データ変調回路２５およびレーザ変調回路２６により所定処理して光ピックアップ２を駆動させ、ＤＶＤ−ＲまたはＤＶＤ−ＲＷのレコーディング・マネージメント・エリア（ＲＭＡ）に記録させる。また、ディスク判別された光ディスク１が、ＤＶＤ＋ＲまたはＤＶＤ＋ＲＷである場合は、エラー情報記録手段２２５は、同じくＲＡＭ２７から記録エラー情報を読み出し、この記録エラー情報をＡＴＡＰＩ３３に送り、記録データ変調回路２５およびレーザ変調回路２６により所定処理して光ピックアップ２を駆動させ、ＤＶＤ＋ＲまたはＤＶＤ＋ＲＷのイニシャル・ゾーン（Ｉｎｉｔｉａｌ  Ｚｏｎｅ）に記録させる。
【００４５】
このように記録中に記録エラーが発生した光ディスクに対しては、記録終了後に、エラー発生アドレス、記録パワー、エラーコード、内部エラーコード、およびエラー発生時間などの記録エラー情報を記録させるようにしたので、この光ディスクを再生したときに不具合が発生して、再生できないようなことが起こった場合に、ユーザが、この光ディスクをディスクメーカのサービスセンターなどに送れば、ディスクメーカ側では、この光ディスクに記録されている記録エラー情報を解析することにより、エラー原因を解明することができ、これにより、ユーザの苦情に対処することができ、また、今後のディスク開発に役立てることができてディスク開発の効率を向上させることができる。
【産業上の利用可能性】
【００４６】
本発明は、光ディスク記録再生装置としてのＤＶＤレコーダに、ＤＶＤ−Ｒ、ＤＶＤ−ＲＷ、ＤＶＤ＋Ｒ、ＤＶＤ＋ＲＷの光ディスクに記録エラーが発生して、再生時に不具合が生じて再生できなくなった場合に、ＤＶＤレコーダに記録エラー情報を光ディスクに記録させる機能を付加することにより、ディスクメーカ側で不具合の原因を解明して、ディスクの開発に役立てることに利用可能である。
【図面の簡単な説明】
【００４７】
【図１】本発明の一実施形態に係る光ディスク記録再生装置の構成を示すブロック図である。
【図２】ＤＶＤ−Ｒ、ＤＶＤ−ＲＷ、ＤＶＤ＋Ｒ、ＤＶＤ＋ＲＷの光ディスクにおける主要領域を示す領域構成図である。
【図３】前記実施形態において記録時に発生した記録エラーの情報を光ディスクに記録させるまでの処理を説明するためのフローチャートである。
【符号の説明】
【００４８】
１    光ディスク
２２    システムコントローラ
２７    ＲＡＭ（メモリ）
２２１    ディスク判別手段
２２２    エラー発生判定手段
２２３    エラー情報格納手段
２２４    エラー発生確認手段
２２５    エラー情報記録手段
【図１】
2007310965.tif 000003
【図２】
2007310965.tif 000004
【図３】
2007310965.tif 000005